(57)【要約】【課題】    棒状の筆記具に備えられるクリップ部においては、被挟持物の厚さが変化しても十分な挟持力を得られ、且つクリップ部の塑性変形や破損が起こりにくいものが望まれる。しかし、これを実現する為に大げさな付勢部材や新たな調整体を備えるような方法では、クリップ部のサイズが大きくなり筆記の妨げとなることが考えられ、構造が複雑になり新たなトラブルやコストアップが心配される。【解決手段】  筆記具（１）の長手方向に略平行な軸線（３）を中心に筆記具（１）に回動可能に支持されるクリップ部材（２）によって、挟持部（５）及び（６）を相対移動させる。【選択図】          図１
2007190924.tif 000002
【特許請求の範囲】
【請求項１】
棒状の筆記具に設置されるクリップ部材は、一端部に前記筆記具の長手方向に略平行な軸線を中心に回動可能に支持される支持部と、他端部に前記筆記具の外周の第１挟持部との間で被挟持物を挟持可能な第２挟持部と、を備え、
前記クリップ部材は素材の弾力性、又は付勢部材によって、前記第１挟持部及び前記第２挟持部の間の前記被挟持物を挟持する方向への付勢力を有し、
前記被挟持物を挟持しない状態で、前記クリップ部材を前記軸線中心に回動させる角度に応じて、前記第１挟持部及び前記第２挟持部が開いている場合は隙間の距離が変化し、閉じている場合は前記付勢力が変化することを特徴とする、
クリップ部材を具備する筆記具。
【発明の詳細な説明】
【技術分野】
【０００１】
本発明は、クリップ部材を具備する筆記具に関する。
【背景技術】
【０００２】
棒状の筆記具に備えられるクリップ部においては、特許文献１のように筆記具の長手方向に垂直な方向に移動可能で付勢部材によって筆記具の中心方向に付勢されているものが知られている。
また、特許文献２のようにクリップ部の一端部を中心として揺動可能で付勢部材によって他端部が筆記具の中心方向に付勢されているものや、付勢部材を用いずにクリップ部の素材の弾力性を利用しているものが知られている。
また、特許文献３のように被挟持物の厚さ等に合わせてクリップ部の挟持力を調整可能とする為に、調整体を新たに備えるアイデアが知られている。
【０００３】
【特許文献１】特開２００６−００１１５０号公報
【特許文献２】特開２００７−００１０９８号公報
【特許文献３】特開２００３−２００６９５号公報
【発明の開示】
【発明が解決しようとする課題】
【０００４】
棒状の筆記具に備えられるクリップ部においては、被挟持物の厚さが変化しても十分な挟持力を得られ、且つクリップ部の塑性変形や破損が起こりにくいものが望まれる。しかし、これを実現する為に大げさな付勢部材や新たな調整体を備えるような方法では、クリップ部のサイズが大きくなり筆記の妨げとなることが考えられ、構造が複雑になり新たなトラブルやコストアップが心配される。
【課題を解決するための手段】
【０００５】
本発明の実施形態図等を用いて以下に説明するが、これは本発明の内容をより把握しやすいようにする為で、添付の特許請求の範囲を縮小するものではない。
【０００６】
発明１に係るクリップ部材を具備する筆記具は、例えば図１及び２、図３及び４、図５及び６、のいずれかの組みのように、
棒状の筆記具１に設置されるクリップ部材２は、一端部に筆記具１の長手方向に略平行な軸線３を中心に回動可能に支持される支持部４と、他端部に筆記具１の外周の挟持部５との間で被挟持物を挟持可能な挟持部６と、を備え、
クリップ部材２は素材の弾力性、又は付勢部材によって、挟持部５及び６の間の前記被挟持物を挟持する方向への付勢力を有し、
前記被挟持物を挟持しない状態で、クリップ部材２を軸線３中心に回動させる角度に応じて、挟持部５及び６が開いている場合は隙間の距離が変化し、閉じている場合は前記付勢力が変化することを特徴とする、
クリップ部材を具備する筆記具である。
【０００７】
ここで、筆記具１とは鉛筆、芯を送り出すタイプの鉛筆、フェルトペン、万年筆、ボールペン、修正ペン、芯を送り出すタイプの消しゴム、等を表す。
【発明の効果】
【０００８】
以上のように本発明では、クリップ部材２を軸線３中心に回動させて被挟持物の厚みの変化に簡便に対応可能であり、且つ小型シンプルなクリップ部を得ることが容易である。
【発明を実施するための最良の形態】
【０００９】
〔第１実施形態〕
図１及び２において、筒状部１１は射出成型されたポリカーボネイト等の樹脂製であり、一端部の外周を一周し軸線３を中心とする溝８を備え、筒状部１１の中心軸線に対して軸線３は偏心しており、一端部及び他端部は開口端である。
【００１０】
また、筒状部１１にはボールペンの芯及びノック式の出し入れ機構が内蔵されており、筒状部１１の一端部から出ているプッシュ部１０を押す毎にボールペンの先端部１３が出し入れされる。
また、筒状部１１の他端部にはボールペンの芯を交換する為の先端部１２が螺合されている。
また、クリップ部材２は射出成型されたポリエチレン等の弾力性を有する樹脂製であり、一端部に軸線３を中心とする輪状の支持部４、他端部に突起状の挟持部６を備え、中間部の帯状部７は十分な弾力性を有している。
また、支持部４の割り９を広げながら支持部４は溝８に嵌合されており、溝８の底の摺動面１６で摺動することでクリップ部材２は軸線３を中心に回動可能、且つ軸線３方向に移動不能に筒状部１１に支持されている。
【００１１】
図１の上図のようなクリップ部材２の位置から、下図のような位置に軸線３を中心に１８０度回動させることで、挟持部６及び筒状部１１外周の挟持部５の隙間は狭まり最終的には被挟持物無しでも付勢力が発生するような状態になる。
【００１２】
〔第２実施形態〕
第１実施形態の筆記具と共通する部分の記載は省略する。
図３及び４のように、筒状部１１の中心軸線に対して軸線３は略同心である。
また、筒状部１１の中間部の外周に瘤状部１８が備えられており、瘤状部１８によって軸線３に対して偏心した挟持部５が与えられている。
【００１３】
図３の上図のようなクリップ部材２の位置から、下図のような位置に軸線３を中心に１８０度回動させることで、挟持部６及び筒状部１１外周の挟持部５の隙間は狭まる。
【００１４】
〔第３実施形態〕
図５及び６において、筒状部１１は射出成型されたポリカーボネイト等の樹脂製であり、他端部に軸線３を中心とする筒状の嵌合部２２を備え、筒状部１１の中心軸線に対して軸線３は偏心している。
【００１５】
また、筒状部１１にはボールペンの芯１９が内蔵されており、筒状部１１の一端部に螺合されているキャップ２０を外すことで芯１９を交換可能である。
また、クリップ部材２は射出成型されたポリエチレン等の弾力性を有する樹脂製であり、一端部に嵌合部２２に嵌合可能な輪状の支持部４及びボールペンの先端部を覆うキャップ部２１、他端部に突起状の挟持部６を備え、中間部の帯状部７は十分な弾力性を有している。
また、嵌合状態の嵌合部２２及び支持部４の摺動面１６で摺動することでクリップ部材２は軸線３を中心に回動可能に筒状部１１に支持されている。
【００１６】
図５の上図のようなクリップ部材２の位置から、下図のような位置に軸線３を中心に１８０度回動させることで、挟持部６及び筒状部１１外周の挟持部５の隙間は狭まり最終的には被挟持物無しでも付勢力が発生するような状態になる。
【００１７】
〔その他の実施形態〕
第１から第３実施形態のいずれかにおいて、クリップ部材２に樹脂の替わりにプレス成型された金属板等を使用しても良い。
【００１８】
第１から第３実施形態のいずれかにおいて、クリップ部材２の素材の弾力性を積極的に使用せずに、バネ等の付勢部材を用いて挟持力を発生させても良い。この際、支持部４及び帯状部７の接続部１５にピボットを設けることが好ましい。
【００１９】
第１から第３実施形態のいずれかにおいて、クリップ部材２が軸線３中心の回動をする際に止まりやすい角度を有するように支持部４及び筆記具１の間にローレット、又は正多角形形状による嵌合、等を設けても良い。この際、支持部４の弾力性を利用して嵌合に逆らうようにクリップ部材２を回動させるような方法、又は嵌合を解いてからクリップ部材２を回動させ再び嵌合させるような方法が考えられる。
【００２０】
第１から第２実施形態のいずれかにおいて、筒状部１１の替わりにボールペンの先端部を覆う筒状のキャップの外周に挟持部５を備え、クリップ部材２がボールペンの先端部を覆う筒状のキャップに回動可能に支持されるようにしても良い。
【００２１】
第１から第２実施形態のいずれかにおいて、クリップ部材２がプッシュ部１０に回動可能に支持される、又はプッシュ部１０がクリップ部材２と一体となって軸線３を中心に筒状部１１に回動可能に支持されるようにしても良い。
【図面の簡単な説明】
【００２２】
【図１】第１実施形態のクリップ部材２の回動を二段階で表す図
【図２】図１の線分Ａ−Ａ断面図
【図３】第２実施形態のクリップ部材２の回動を二段階で表す図
【図４】図３の線分Ｂ−Ｂ断面図
【図５】第３実施形態のクリップ部材２の回動を二段階で表す図
【図６】図５の線分Ｃ−Ｃ断面図
【符号の説明】
【００２３】
１.                                      筆記具
２.                                      クリップ部材
３.                                      軸線
４.                                      支持部
５,６.                                 挟持部
７.                                                  
帯状部
８.                                      溝
９.                                      割り
１０.                                  プッシュ部
１１.                                  筒状部
１２,１３.                          先端部
１４.                                  ボール
１５.                                  接続部
１６.                                  摺動面
１７.                                  穴
１８.                                  瘤状部
１９.                                  芯
２０.                                  キャップ
２１.                                  キャップ部
２２.                                  嵌合部
【図１】
2007190924.tif 000003
【図２】
2007190924.tif 000004
【図３】
2007190924.tif 000005
【図４】
2007190924.tif 000006
【図５】
2007190924.tif 000007
【図６】
2007190924.tif 000008